(57)【要約】【課題】ルーバーやドラフト防止機構等の風向調整部材の調整を、より容易に行うことを目的とする。【解決手段】空気調和機１は、複数の吹出口１４Ａ〜１４Ｄのそれぞれに設けられるドラフト防止機構１７Ａ〜１７Ｄと、ドラフト防止機構１７Ａ〜１７Ｄの向きを変えるドラフト防止機構駆動部と、リモートコントローラ１００からの操作信号を受信する複数の受光部２０Ａ〜２０Ｄと、複数のドラフト防止機構１７Ａ〜１７Ｄのうちの一部の向きを制御する制御部と、を備え、制御部は、受光部２０Ａ〜２０Ｄで受信した操作信号の送信方向に基づいて、複数の吹出口１４Ａ〜１４Ｄに設けられたドラフト防止機構１７Ａ〜１７Ｄのうち、操作対象のドラフト防止機構１７Ａ〜１７Ｄを特定する操作対象特定部と、操作対象特定部で特定されたドラフト防止機構１７Ａ〜１７Ｄのドラフト防止機構駆動部を駆動させる駆動制御部と、を備える。【選択図】図４
2019015464.tif 000002
【特許請求の範囲】
【請求項１】
室内に供給する空気を調和して空調風を送り出すユニット本体と、
前記空調風を前記室内に吹き出す複数の吹出口と、
複数の前記吹出口のそれぞれに設けられ、前記吹出口から吹き出す前記空調風が当たる風向調整部材と、
複数の前記吹出口に設けられた前記風向調整部材のそれぞれに設けられ、前記空調風に対する前記風向調整部材の向きを変える駆動部と、
リモートコントローラからの操作信号を受信する複数の受信部と、
前記リモートコントローラからの操作信号に応じて、複数の前記風向調整部材のうちの一部の向きを制御する制御部と、を備え、
前記制御部は、
前記受信部で受信した前記操作信号の送信方向に基づいて、複数の前記吹出口に設けられた前記風向調整部材のうち、前記リモートコントローラによって送信された前記操作信号による操作対象の前記風向調整部材を特定する操作対象特定部と、
前記操作対象特定部で特定された前記風向調整部材の前記駆動部を駆動させる駆動制御部と、
を備えることを特徴とする空気調和機。
【請求項２】
前記受信部は、複数の前記吹出口のそれぞれに対応して設けられ、
前記操作対象特定部は、複数の前記受信部のうち、前記リモートコントローラからの前記操作信号を受信した前記受信部を特定することで、操作対象の前記風向調整部材を特定し、
前記駆動制御部は、前記操作対象特定部で特定された前記受信部に対応する前記吹出口に設けられた前記風向調整部材の前記駆動部を駆動させることを特徴とする請求項１に記載の空気調和機。
【請求項３】
前記受信部は、前記リモートコントローラによって送信される前記操作信号の受信範囲を制限する受信範囲制限部を備えていることを特徴とする請求項２に記載の空気調和機。
【請求項４】
前記リモートコントローラを複数備え、
複数の前記リモートコントローラは、互いに異なる識別情報を含んだ前記操作信号を送信し、
前記操作対象特定部は、前記リモートコントローラによって送信された前記操作信号に含まれる前記識別情報に基づいて、操作対象の前記風向調整部材を特定することを特徴とする請求項１に記載の空気調和機。
【請求項５】
前記吹出口に回動自在に設けられ、前記吹出口からの前記空調風の吹出方向を調整するルーバーをさらに備え、
前記風向調整部材は、前記吹出口の外側に配設され、前記ルーバーによって吹出方向が調整された前記空調風に対向するルーバー方向位置と、前記ルーバー方向位置から退避した退避位置との間で回動可能に設けられていることを特徴とする請求項１から４のいずれか一項に記載の空気調和機。
【請求項６】
請求項１から５のいずれか一項に記載の空気調和機の制御方法であって、
前記リモートコントローラから送信された送信信号を前記受信部で受信するステップと、
受信した前記操作信号の送信方向に基づいて、複数の前記吹出口に設けられた前記風向調整部材のうち、前記リモートコントローラによって送信された前記操作信号による操作対象の前記風向調整部材を特定するステップと、
前記操作対象特定部で特定された前記風向調整部材の前記駆動部を駆動させるステップと、
を含むことを特徴とする空気調和機の制御方法。
【発明の詳細な説明】
【技術分野】
【０００１】
本発明は、空気調和機、空気調和機の制御方法に関するものである。
【背景技術】
【０００２】
室内の天井面に設置される空気調和機は、ユニット本体の下部に天井パネル、化粧パネル等と称されるパネル本体が設けられている。パネル本体には、その中央部に形成されて室内の空気を吸込む吸込口と、吸込口の周りに設けられて空調風を下向きに吹き出す複数の吹出口と、が形成されている。吹出口は、吸込口の周りの二方向あるいは四方向に設けられることが多い。各吹出口には、空調風の吹出方向を調整するルーバーが回動自在に設けられ、風向が任意の方向に調整可能とされている。
【０００３】
しかし、上記の如く、吹出口にルーバーを設け、空調風の吹出方向を調整可能としているにも拘らず、ルーバーの角度等によっては吹出口の下に居る人に空調風が直接当たり、ドラフト感を与えてしまうことがある。
【０００４】
これに対し、特許文献１には、パネル本体に下向きに開口された吹出口の外側に、パネル本体に対して面一となる収納位置と、吹出口から吹出される空調風に対向するルーバー方向位置との間で回動自在とされたドラフト防止機構を配設した構成が開示されている。この構成によれば、ドラフト防止機構を吹出口から吹出される空調風に対向するルーバー方向位置に回動させることで、ルーバー方向への空調風の流れを遮り、ドラフト感を低減することができる。
【０００５】
上記のようなルーバーによる風向きの調整や、ドラフト防止機構によるドラフト感の調整を行ったとしても、空気調和機が設置された室内に複数人が居る場合、空調風のドラフト感等に対し、どのように感じるのかが、各人の体調や好み等に応じて個別に異なることがある。
【０００６】
これに対し、リモートコントローラ（以下、これをリモコンと略称することがある）によって、複数のルーバーを個別に調整することが行われている。
例えば、特許文献２には、リモコン操作により、複数のルーバーのうちの任意のルーバーを選択して、その風向き角度の調整を行う構成が開示されている。
【先行技術文献】
【特許文献】
【０００７】
【特許文献１】特開２０１６−１０９３１０号公報
【特許文献２】特開２０１５−１１４０３１号公報
【発明の概要】
【発明が解決しようとする課題】
【０００８】
しかしながら、リモコン操作によって、複数のルーバーやドラフト防止機構のうちの任意の一つを選択して調整を行うには、複数の中から調整を行うべき一つのルーバーやドラフト防止機構を指定する操作が必要である。
すなわち、複数のルーバーやドラフト防止機構のそれぞれに対応づけられたボタンが設けられている場合、目的のルーバーやドラフト防止機構を操作するボタンを選択して操作しなければならない。
また、特許文献２に開示された構成においては、リモコン操作によって風向きを調整できるルーバーが、一定時間に順次切り替わるようになっている。したがって、目的のルーバーを操作するには、そのルーバーが操作できるタイミングとなるまで待機しなければならない。
【０００９】
本発明は、このような事情に鑑みてなされたものであって、ルーバーやドラフト防止機構等の風向調整部材の調整を、より容易に行うことができる空気調和機、空気調和機の制御方法を提供することを目的とする。
【課題を解決するための手段】
【００１０】
上記課題を解決するために、本発明の空気調和機、空気調和機の制御方法は以下の手段を採用する。
本発明に係る空気調和機は、室内に供給する空気を調和して空調風を送り出すユニット本体と、前記空調風を前記室内に吹き出す複数の吹出口と、複数の前記吹出口のそれぞれに設けられ、前記吹出口から吹き出す前記空調風が当たる風向調整部材と、複数の前記吹出口に設けられた前記風向調整部材のそれぞれに設けられ、前記空調風に対する前記風向調整部材の向きを変える駆動部と、リモートコントローラからの操作信号を受信する複数の受信部と、前記リモートコントローラからの操作信号に応じて、複数の前記風向調整部材のうちの一部の向きを制御する制御部と、を備え、前記制御部は、前記受信部で受信した前記操作信号の送信方向に基づいて、複数の前記吹出口に設けられた前記風向調整部材のうち、前記リモートコントローラによって送信された前記操作信号による操作対象の前記風向調整部材を特定する操作対象特定部と、前記操作対象特定部で特定された前記風向調整部材の前記駆動部を駆動させる駆動制御部と、を備えることを特徴とする。
【００１１】
本発明に係る空気調和機によれば、受信部で受信したリモートコントローラからの操作信号の送信方向に基づいて、複数の吹出口に設けられた風向調整部材のうち、リモートコントローラによって送信された操作信号による操作対象の風向調整部材を特定する。これにより、リモートコントローラの操作者は、操作対象の風向調整部材を選択する操作を行うことなく、風向調整部材の向きを変える操作を行うのみで、複数のうちの一部の、所望の風向調整部材のみの向きを変えることが可能となる。
【００１２】
上記空気調和機において、前記受信部は、複数の前記吹出口のそれぞれに対応して設けられ、前記操作対象特定部は、複数の前記受信部のうち、前記リモートコントローラからの前記操作信号を受信した前記受信部を特定することで、操作対象の前記風向調整部材を特定し、前記駆動制御部は、前記操作対象特定部で特定された前記受信部に対応する前記吹出口に設けられた前記風向調整部材の前記駆動部を駆動させるとさらに好適である。
【００１３】
このような空気調和機によれば、複数の吹出口のそれぞれに対応して受信部を設けた。複数の受信部のうち、リモートコントローラからの操作信号を受信した受信部を特定すれば、受信部で受信した操作信号の送信方向を特定することができる。これによって、操作対象の風向調整部材を特定して、その向きを変えることができる。
【００１４】
上記空気調和機において、前記受信部は、前記リモートコントローラによって送信される前記操作信号の受信範囲を制限する受信範囲制限部を備えているとさらに好適である。
【００１５】
このような空気調和機によれば、リモートコントローラから送信された操作信号が、他の受信部によって受信されることを抑える。これにより、複数の受信部のうち、リモートコントローラからの操作信号を受信した受信部を、より高い精度で特定することが可能となる。
【００１６】
上記空気調和機において、前記リモートコントローラを複数備え、複数の前記リモートコントローラは、互いに異なる識別情報を含んだ前記操作信号を送信し、前記操作対象特定部は、前記リモートコントローラによって送信された前記操作信号に含まれる前記識別情報に基づいて、操作対象の前記風向調整部材を特定するとさらに好適である。
【００１７】
このような空気調和機によれば、複数のリモートコントローラのうち、操作対象となる風向調整部材に関連づけられたリモートコントローラを用いて操作信号を送信すると、その操作信号に含まれる識別情報に基づいて、操作対象の風向調整部材を特定することができる。これによって、リモートコントローラの操作によって、操作対象の風向調整部材のみの向きを変えることができる。
【００１８】
上記空気調和機において、前記吹出口に回動自在に設けられ、前記吹出口からの前記空調風の吹出方向を調整するルーバーをさらに備え、前記風向調整部材は、前記吹出口の外側に配設され、前記ルーバーによって吹出方向が調整された前記空調風に対向するルーバー方向位置と、前記ルーバー方向位置から退避した退避位置との間で回動可能に設けられているとさらに好適である。
【００１９】
このような空気調和機によれば、リモートコントローラの操作によって、複数のうちの一部の吹出口に設けられた風向調整部材を、ルーバーによって吹出方向が調整された空調風に対向したルーバー方向位置に配置させることができる。これにより、ルーバーによって吹出方向が調整された空調風は、風向調整部材に衝突し、空調風によるドラフト感を低減することができる。
【００２０】
本発明に係る空気調和機の制御方法は、上記空気調和機の制御方法であって、前記リモートコントローラから送信された送信信号を前記受信部で受信するステップと、受信した前記操作信号の送信方向に基づいて、複数の前記吹出口に設けられた前記風向調整部材のうち、前記リモートコントローラによって送信された前記操作信号による操作対象の前記風向調整部材を特定するステップと、前記操作対象特定部で特定された前記風向調整部材の前記駆動部を駆動させるステップと、を含むことを特徴とする。
【００２１】
本発明に係る空気調和機の制御方法によれば、リモートコントローラの操作者は、操作対象の風向調整部材を選択する操作を行うことなく、風向調整部材の向きを変える操作を行うのみで、操作対象となる、複数のうちの一部の風向調整部材のみの向きを変えることが可能となる。
【発明の効果】
【００２２】
本発明に係る空気調和機、空気調和機の制御方法によれば、ルーバーやドラフト防止機構等の風向調整部材の調整を、より容易に行うことが可能となる。
【図面の簡単な説明】
【００２３】
【図１】本発明の実施形態に係る空気調和機を下方から見た一部を破断した状態の斜視図である。
【図２】上記空気調和機に設けられたドラフト防止機構を収納位置とした状態の斜視図である。
【図３】上記空気調和機に設けられたドラフト防止機構をルーバー方向位置とした状態の斜視図である。
【図４】本発明の第１実施形態に係る空気調和機の概略構成を示す図である。
【図５】上記空気調和機に設けられた受光部の一例を示す平面図である。
【図６】上記空気調和機に設けられたドラフト防止機構を操作するための機能的な構成を示すブロック図である。
【図７】上記空気調和機の制御方法の流れを示す図である。
【図８】上記空気調和機に設けられた受光部の変形例を示す斜視図である。
【図９】上記空気調和機に設けられた受光部の他の変形例を示す斜視図である。
【図１０】本発明の第２実施形態に係る空気調和機の概略構成を示す図である。
【発明を実施するための形態】
【００２４】
以下に、本発明に係る空気調和機、空気調和機の制御方法の一実施形態について、図面を参照して説明する。
〔第１実施形態〕
以下、本発明の第１実施形態について、図１を用いて説明する。
図１に示すように、空気調和機１は、室内の天井面に設置される。空気調和機１は、ユニット本体２と、パネル本体３と、吸込口１１と、吹出口１４と、を備えている。
【００２５】
ユニット本体２は、天井内に設置される四方体形の下方が開口された箱体である。ユニット本体２は、内部の中心部位に設置されたターボファン４と、その周りを囲むように配置された四角形状に曲げ成形されている熱交換器５と、熱交換器５の下部に配置されたドレンパン６と、ドレンパン６の周囲壁とユニット本体２の内周面との間に形成された吹出し風路７と、ターボファン４の吸込側に配置されたベルマウス８と、を備えている。
なお、このユニット本体２は、室外機に対して液管およびガス管からなる２本の冷媒配管９および電気配線１０を介して接続される。
【００２６】
パネル本体３は、ユニット本体２の下面を覆うように設けられている。パネル本体３は、略正方形状をなすパネルであって、天井パネル、化粧パネルとも称される。
【００２７】
吸込口１１は、略正方形状で、室内の空気を吸込むため、パネル本体３の中央部位に開口している。吸込口１１には、吸込グリル１２が設置されている。吸込グリル１２は、グリル内面側にエアフィルタ（図示省略）が設置されており、そのエアフィルタを交換あるいは清掃するため、パネル本体３に対して、ワイヤ１３、図示省略の昇降モータ等を介して室内の床面近くまで降下されるように昇降自在に設置されている。なお、エアフィルタを自動清掃するため、エアフィルタ自動清掃機構を組み込んだ構成としてもよい。
【００２８】
吹出口１４は、パネル本体３において、吸込口１１の周りを取り囲むよう、パネル本体３の４辺に対応して４方向にそれぞれ設けられている。各吹出口１４は、略正方形状の吸込口１１の４辺に沿って平行に延びる略長方形状に形成されている。各吹出口１４は、熱交換器５で冷却または加熱された空気が空調風として室内に吹出される。
【００２９】
図１〜図３に示すように、各吹出口１４には、ルーバー１５と、ドラフト防止機構（風向調整部材）１７と、が設けられている。
【００３０】
ルーバー１５は、各吹出口１４からの空調風の吹出方向（風向）を調整する。ルーバー１５は、略長方形状で、吹出口１４を覆うように設けられている。ルーバー１５は、吸込口１１側の基端部１５ａを中心として、揺動可能に設けられている。ルーバー１５は、図示しないモータ等によって揺動することで、吹出口１４から吹き出される空調風の吹出方向を変更可能に設けられている。ここで、４つの吹出口１４に設けられた計４つのルーバー１５は、個別に独立して回動されるようになっている。
【００３１】
ドラフト防止機構１７は、各吹出口１４の外側に配設されている。ドラフト防止機構１７は、風向調整部１８と、アーム部１９と、を一体に備えて略門形をなしている。
風向調整部１８は、吹出口１４に設けられたルーバー１５に対し、パネル本体３の外側に配置されている。風向調整部１８は、ルーバー１５の長手方向に沿って延びている。
アーム部１９は、風向調整部１８の長手方向両端部にそれぞれ設けられている。アーム部１９は、風向調整部１８の両端部から、パネル本体３の内側に向かって延びている。アーム部１９は、吸込口１１側の基端部１９ａが、図示しない支軸によって、パネル本体３に回動自在に連結されている。ドラフト防止機構１７は、一対のアーム部１９の基端部１９ａを中心として、図示しないモータ等のドラフト防止機構駆動部１６Ａ、１６Ｂ、１６Ｃ、１６Ｄ（図６参照）により、揺動可能に設けられている。
これら風向調整部１８および両アーム部１９の裏面側（上面側）には、図示しないリブが一体に成形され、各々の強度および剛性が確保されるように構成されている。
【００３２】
上記ドラフト防止機構１７は、パネル本体３に対して面一となる収納位置（図２位置）と、風向調整部１８が吹出口１４から吹出される空調風と対向するルーバー方向位置（図３位置）との間で回動可能とされている。
ドラフト防止機構１７は、パネル本体３に対して面一となる収納位置（図２位置）において、パネル本体３の一部を形成する。この状態で、風向調整部１８およびアーム部１９は、各々の表面（下面）がパネル本体３の表面（下面）と面一とされるようになっている。
ドラフト防止機構１７は、吹出口１４と対向するルーバー方向位置にせり出すことにより、風向調整部１８が吹出口１４から吹き出される空調風を遮って風向を変える。これにより、ドラフト防止機構１７は、空調風が下方に居る人に直接当たることによるドラフト感を低減あるいは解消する。
【００３３】
図４に示すように、上記空気調和機１は、上記のようにパネル本体３の４辺に対応した４方向にそれぞれ設けられたドラフト防止機構（風向調整部材）１７Ａ〜１７Ｄの向きを、リモートコントローラ１００からの操作信号に応じて制御する。本実施形態においては、空気調和機１に対する、リモートコントローラ１００からの操作信号の送信方向に基づいて、ドラフト防止機構１７Ａ〜１７Ｄのうちの一つ（一部）のみの向きを調整する。
【００３４】
このため、空気調和機１は、複数の受光部（受信部）２０Ａ〜２０Ｄと、制御部３０（図６参照）と、を備える。
【００３５】
受光部２０Ａ〜２０Ｄは、複数の吹出口１４Ａ〜１４Ｄに設けられたドラフト防止機構１７Ａ〜１７Ｄのそれぞれに対応して設けられている。受光部２０Ａ〜２０Ｄは、それぞれ、吹出口１４Ａ〜１４Ｄからの空調風の吹出範囲Ａ１〜Ａ４で、リモートコントローラ１００の操作が行われたときに、その操作信号を受信する。すなわち、受光部２０Ａは、吹出口１４Ａからの空調風の吹出範囲Ａ１において、リモートコントローラ１００の操作が行われたときに、その操作信号を受信するよう設けられている。受光部２０Ｂは、吹出口１４Ｂからの空調風の吹出範囲Ａ２において、リモートコントローラ１００の操作が行われたときに、その操作信号を受信するよう設けられている。受光部２０Ｃは、吹出口１４Ｃからの空調風の吹出範囲Ａ３において、リモートコントローラ１００の操作が行われたときに、その操作信号を受信するよう設けられている。受光部２０Ｄは、吹出口１４Ｄからの空調風の吹出範囲Ａ４において、リモートコントローラ１００の操作が行われたときに、その操作信号を受信するよう設けられている。
【００３６】
図５に示すように、受光部２０Ａ〜２０Ｄのそれぞれは、リモートコントローラ１００によって送信される操作信号を受光する受光素子２２を備えている。受光部２０Ａ〜２０Ｄは、リモートコントローラ１００によって送信される操作信号の、受光素子２２における受信範囲を制限する受信範囲制限部２１Ａを備えるのが好ましい。本実施形態において、受信範囲制限部２１Ａは、受光素子２２の両側に設けられた一対の壁部２３，２３からなる。一対の壁部２３，２３は、受光素子２２から離間するにしたがって、互いの距離が漸次拡大するよう設けられている。受信範囲制限部２１Ａは、受光素子２２でリモートコントローラ１００の操作信号を受信できる範囲が、上記の吹出範囲Ａ１〜Ａ４に対応としたものとなるよう、一対の壁部２３，２３の開き角を設定する。
【００３７】
図６に示すように、制御部３０は、リモートコントローラ１００からの操作信号に応じて、複数のドラフト防止機構１７Ａ〜１７Ｄのうちの一部の向きを制御する。制御部３０は、操作対象特定部３１と、駆動制御部３２と、を備える。
【００３８】
操作対象特定部３１は、受光部２０Ａ〜２０Ｄで受信した操作信号の送信方向に基づいて、複数の吹出口１４Ａ〜１４Ｄに設けられたドラフト防止機構１７Ａ〜１７Ｄのうち、リモートコントローラ１００によって送信された操作信号による操作対象のドラフト防止機構１７Ａ〜１７Ｄを特定する。本実施形態では、操作対象特定部３１は、複数の受光部２０Ａ〜２０Ｄのうち、リモートコントローラ１００からの操作信号を受信した受光部２０Ａ〜２０Ｄを特定することで、操作対象のドラフト防止機構１７Ａ〜１７Ｄを特定する。
【００３９】
駆動制御部３２は、操作対象特定部３１で特定されたドラフト防止機構１７Ａ〜１７Ｄのうちの一つに対応したドラフト防止機構駆動部１６Ａ〜１６Ｄを駆動させる。本実施形態では、駆動制御部３２は、操作対象特定部３１で特定された受光部２０Ａ〜２０Ｄのうちの一つに対応する吹出口１４Ａ〜１４Ｄに設けられたドラフト防止機構１７Ａ〜１７Ｄのドラフト防止機構駆動部１６Ａ〜１６Ｄを駆動させる。
【００４０】
次に、上記空気調和機１の制御方法について説明する。
図７に示すように、本実施形態における空気調和機１の制御方法は、操作信号を受信するステップＳ１と、操作対象のドラフト防止機構を特定するステップＳ２と、操作対象のドラフト防止機構を駆動するステップＳ３と、を備える。
【００４１】
操作信号を受信するステップＳ１では、リモートコントローラ１００から送信された送信信号を、受光部２０Ａ〜２０Ｄのいずれかで受信する。この実施形態では、例えば、吹出範囲Ａ１においてリモートコントローラ１００が操作された場合について例示する。
吹出範囲Ａ１においてリモートコントローラ１００が操作されると、そのリモートコントローラ１００から送信される操作信号は、吹出範囲Ａ１に空調風を吹き出す吹出口１４Ａに設けられた受光部２０Ａで受信される。
【００４２】
操作対象のドラフト防止機構を特定するステップＳ２では、操作対象特定部３１は、受光部２０Ａ〜２０Ｄのいずれかで受信した操作信号の送信方向に基づいて、複数の吹出口１４Ａ〜１４Ｄに設けられたドラフト防止機構１７Ａ〜１７Ｄのうち、リモートコントローラ１００によって送信された操作信号による操作対象のドラフト防止機構１７Ａ〜１７Ｄを特定する。
すなわち、本実施形態の例では、受光部２０Ａで操作信号を受信したので、操作対象特定部３１は、受光部２０Ａに関連づけられた、吹出口１４Ａのドラフト防止機構１７Ａが操作対象であることを特定する。
【００４３】
操作対象のドラフト防止機構を駆動するステップＳ３では、駆動制御部３２は、ドラフト防止機構１７Ａ〜１７Ｄのうち、ステップＳ２で特定されたドラフト防止機構１７Ａ〜１７Ｄに設けられたドラフト防止機構駆動部１６Ａ〜１６Ｄを駆動させる。
すなわち、本実施形態の例では、ドラフト防止機構１７Ｄに設けられたドラフト防止機構駆動部１６Ｄを駆動させる。
【００４４】
このようにして、操作者は、吹出口１４Ｄから空調風が吹き出される吹出範囲Ａ４でリモートコントローラ１００を操作すれば、吹出口１４Ｄに設けられたドラフト防止機構１７Ｄの向きが変わり、空調風によるドラフト感を、操作者の好みに応じて調整することができる。
すなわち、空気調和機１の周囲の吹出範囲Ａ１〜Ａ４のいずれかにおいて、操作者がリモートコントローラ１００を操作すれば、その位置に向けて吹き出される空調風のドラフト感を調整することができる。
【００４５】
上述したような構成によれば、受光部２０Ａ〜２０Ｄで受信したリモートコントローラ１００からの操作信号の送信方向に基づいて、複数の吹出口１４Ａ〜１４Ｄに設けられたドラフト防止機構１７Ａ〜１７Ｄのうち、リモートコントローラ１００によって送信された操作信号による操作対象のドラフト防止機構１７Ａ〜１７Ｄを特定する。これにより、リモートコントローラ１００の操作者は、操作対象のドラフト防止機構１７Ａ〜１７Ｄを選択する操作を行うことなく、ドラフト防止機構１７Ａ〜１７Ｄの向きを変える操作を行うのみで、操作対象となる、複数のうちの一部のドラフト防止機構１７Ａ〜１７Ｄのみの向きを変えることが可能となる。したがって、ドラフト防止機構１７Ａ〜１７Ｄの調整を、より容易に行うことが可能となる。
【００４６】
また、リモートコントローラ１００の操作によって、複数のうちの一部の吹出口１４Ａ〜１４Ｄに設けられたドラフト防止機構１７Ａ〜１７Ｄを、ルーバー１５によって吹出方向が調整された空調風に対向したルーバー方向位置に配置させることができる。これにより、ルーバー１５によって吹出方向が調整された空調風は、ドラフト防止機構１７Ａ〜１７Ｄに衝突し、空調風によるドラフト感を低減することができる。
【００４７】
また、複数の吹出口１４Ａ〜１４Ｄのそれぞれに対応して受光部２０Ａ〜２０Ｄを設けることで、複数の受光部２０Ａ〜２０Ｄのうち、リモートコントローラ１００からの操作信号を受信した受光部２０Ａ〜２０Ｄを特定すれば、受光部２０Ａ〜２０Ｄで受信した操作信号の送信方向を特定することができる。これによって、操作対象のドラフト防止機構１７Ａ〜１７Ｄを特定して、その向きを変えることができる。
【００４８】
さらに、受光部２０Ａ〜２０Ｄは、リモートコントローラ１００によって送信される操作信号の受信範囲を制限する受信範囲制限部２１Ａを備えているので、リモートコントローラ１００から送信された操作信号が、他の受光部２０Ａ〜２０Ｄによって受信されることを抑える。これにより、複数の受光部２０Ａ〜２０Ｄのうち、リモートコントローラ１００からの操作信号を受信した受光部２０Ａ〜２０Ｄを、より高い精度で特定することが可能となる。
【００４９】
（第１実施形態の変形例）
上記実施形態では、リモートコントローラ１００によって送信される操作信号の受信範囲を制限する受信範囲制限部２１Ａとして、一対の壁部２３，２３を備えるようにしたが、これに限るものではない。
例えば、図８に示すように、受光部２０Ａ〜２０Ｄは、リモートコントローラ１００によって送信される操作信号の受信範囲を制限する受信範囲制限部２１Ｂとして、受光素子２２から離間するにしたがって、その内径が漸次拡大する円錐状のフード部２４を備えるようにしても良い。
【００５０】
このような構成においても、リモートコントローラ１００から送信された操作信号が、他の受光部２０Ａ〜２０Ｄによって受信されることを抑える。これにより、複数の受光部２０Ａ〜２０Ｄのうち、リモートコントローラ１００からの操作信号を受信した受光部２０Ａ〜２０Ｄを、より高い精度で特定することが可能となる。
【００５１】
（第１実施形態の他の変形例）
上記第一実施形態では、ドラフト防止機構１７Ａ〜１７Ｄのそれぞれに対応づけられた受光部２０Ａ〜２０Ｄの何れか一つで、リモートコントローラ１００の操作信号を受信することで、操作対象のドラフト防止機構１７Ａ〜１７Ｄを特定して操作するようにしたが、これに限らない。
例えば、空気調和機１に、２つの受光部（受信部）のみを設けるようにしても良い。二つの受光部においては、任意の位置で操作されたリモートコントローラ１００からの操作信号の受信タイミングの違いを検知する。この受信タイミングの違いに基づき、それぞれの受光部から、操作信号の送信位置までの距離を算出することができる。それぞれの受光部と送信位置までの距離に基づき、三角法により、リモートコントローラ１００からの操作信号の送信方向（送信位置）を特定することができる。これにより、特定されたリモートコントローラ１００の操作信号の送信位置に対応したドラフト防止機構１７Ａ〜１７Ｄのいずれかを制御する。
【００５２】
また、例えば、上記実施形態では、４つの受光部２０Ａ〜２０Ｄを個別に設けたが、図９に示すように、１つの受光装置２５に、４つの受光部（受信部）２０Ｅ〜２０Ｈを設けるようにしても良い。この受光装置２５は、パネル本体３に設けられるベース部２６に、受信範囲制限部２１Ｃとして、十字状に配置された４枚の仕切壁２７を備えている。受光部２０Ｅ〜２０Ｈは、周方向で互いに隣り合う２枚の仕切壁２７の間に、それぞれ受光素子２２を備えることで構成されている。
このような受光装置２５において、受光部２０Ｅ〜２０Ｈのそれぞれは、受光素子２２の両側の２枚の仕切壁２７によって、リモートコントローラ１００から送信された操作信号が、他の受光部２０Ａ〜２０Ｄによって受信されることを抑える。これにより、複数の受光部２０Ａ〜２０Ｄのうち、リモートコントローラ１００からの操作信号を受信した受光部２０Ａ〜２０Ｄを、より高い精度で特定することが可能となる。
【００５３】
〔第２実施形態〕
次に、本発明に係る空気調和機の第２実施形態について説明する。なお、以下の説明において、上記第１実施形態と共通する構成については同符号を付してその説明を省略する。
図１０に示すように、本実施形態の空気調和機１においては、ドラフト防止機構１７Ａ〜１７Ｄを操作するため、複数のリモートコントローラ１００Ａ〜１００Ｄを備える。
【００５４】
これら複数のリモートコントローラ１００Ａ〜１００Ｄは、互いに異なる識別情報を含んだ操作信号を送信する。
リモートコントローラ１００Ａ〜１００Ｄは、吹出口１４Ａ〜１４Ｄに設けられたドラフト防止機構１７Ａ〜１７Ｄのそれぞれに関連づけて、識別情報が設定されている。すなわち、リモートコントローラ１００Ａは、ドラフト防止機構１７Ａのみを操作するよう、識別情報が設定されている。リモートコントローラ１００Ｂは、ドラフト防止機構１７Ｂのみを操作するよう、識別情報が設定されている。リモートコントローラ１００Ｃは、ドラフト防止機構１７Ｃのみを操作するよう、識別情報が設定されている。リモートコントローラ１００Ｄは、ドラフト防止機構１７Ｄのみを操作するよう、識別情報が設定されている。
【００５５】
このようなリモートコントローラ１００Ａ〜１００Ｄのいずれかを操作すると、受光部２０Ａ〜２０Ｄは、その操作信号を受信する。操作対象特定部３１は、受信した操作信号に含まれる識別情報に基づいて、その識別情報に関連づけられたドラフト防止機構１７Ａ〜１７Ｄを、操作対象として特定する。
【００５６】
駆動制御部３２は、操作対象特定部３１で特定されたドラフト防止機構１７Ａ〜１７Ｄのうちの一つに対応したドラフト防止機構駆動部１６Ａ〜１６Ｄを駆動させる。
【００５７】
このような空気調和機１によれば、複数のリモートコントローラ１００Ａ〜１００Ｄのうち、操作対象となるドラフト防止機構１７Ａ〜１７Ｄに関連づけられたリモートコントローラ１００Ａ〜１００Ｄを用いて操作信号を送信すると、その操作信号に含まれる識別情報に基づいて、操作対象のドラフト防止機構１７Ａ〜１７Ｄを特定することができる。これによって、リモートコントローラ１００Ａ〜１００Ｄの操作によって、操作対象のドラフト防止機構１７Ａ〜１７Ｄのみの向きを変えることができる。
このような構成においても、上記第１実施形態と同様、ドラフト防止機構１７Ａ〜１７Ｄの調整を、より容易に行うことが可能となる。
【００５８】
なお、上記第２実施形態では、リモートコントローラ１００Ａ〜１００Ｄからの操作信号を、受光部２０Ａ〜２０Ｄで受信するようにしたが、例えば、受光部は、４つ未満、例えば１つのみでもよい。操作対象特定部３１は、１つのみの受光部で受信した操作信号に含まれる識別情報に基づいて、その識別情報に関連づけられたドラフト防止機構１７Ａ〜１７Ｄを、操作対象として特定することができる。
【００５９】
なお、本発明は、上記実施形態にかかる発明に限定されるものではなく、その要旨を逸脱しない範囲において、適宜変形が可能である。例えば、上記実施形態では、パネル本体３の四方向にルーバー１５を備えた吹出口１４を設け、それぞれの吹出口１４に対応してドラフト防止機構１７を配設した空気調和機１の例について説明したが、吹出口１４が二方向、三方向、あるいは五方向以上に設けられている空気調和機等に対しても同様に適用できることはもちろんである。
また、上記実施形態では、リモートコントローラ１００の操作によって、ドラフト防止機構１７の向きを変えるようにしたが、リモートコントローラ１００による操作対象は、ルーバー１５であってもよい。
【符号の説明】
【００６０】
１  空気調和機
２  ユニット本体
３  パネル本体
１４、１４Ａ、１４Ｂ、１４Ｃ、１４Ｄ  吹出口
１５  ルーバー
１６Ａ、１６Ｂ、１６Ｃ、１６Ｄ  ドラフト防止機構駆動部
１７、１７Ａ、１７Ｂ、１７Ｃ、１７Ｄ  ドラフト防止機構（風向調整部材）
１８  風向調整部
１９  アーム部
２０Ａ、２０Ｂ、２０Ｃ、２０Ｄ、２０Ｅ、２０Ｆ、２０Ｇ、２０Ｈ  受光部（受信部）
２１Ａ、２１Ｂ、２１Ｃ  受信範囲制限部
２３  壁部
２４  フード部
３０  制御部
３１  操作対象特定部
３２  駆動制御部
１００、１００Ａ、１００Ｂ、１００Ｃ、１００Ｄ  リモートコントローラ
Ａ１、Ａ２、Ａ３、Ａ４  吹出範囲
【図１】
2019015464.tif 000003
【図２】
2019015464.tif 000004
【図３】
2019015464.tif 000005
【図４】
2019015464.tif 000006
【図５】
2019015464.tif 000007
【図６】
2019015464.tif 000008
【図７】
2019015464.tif 000009
【図８】
2019015464.tif 000010
【図９】
2019015464.tif 000011
【図１０】
2019015464.tif 000012